(57)【要約】【課題】電力の見える化を実現すると共に、見える化のための電力消費を抑制する。【解決手段】画像処理装置１０が状態に応じて変化する電力値を、ユーザーの視覚を通じて報知することで、省エネへの意識を喚起すると共に、サブパネル８０に独立した蓄電機能（蓄電デバイス８２、ソーラーパネル８６）を持たせることで、主としてスリープモード中の電力値表示の際、当該電力値表示のための電力を商用電源３１からまかなう必要がない。また、画像処理装置１０の状態において、ＵＩ５２に電力が供給されているときは、当該ＵＩ５２のタッチパネル部４０に電力値を表示するようにしたため、蓄電デバイス８２の蓄電量を無駄に消費させることがない。【選択図】図４
2015001895.tif 000002
【特許請求の範囲】
【請求項１】
主デバイスに属する、処理部、主表示部、並びに前記処理部での処理の実行及び前記主表示部での情報の表示を制御する主制御部を対象として、主電源部からの電力供給状態に応じた複数の動作状態に遷移させる遷移手段と、
副表示部、前記副表示部での情報の表示を制御する副制御部を備え、副電源部の電力が供給されて動作する副デバイスと、
前記主制御部と前記副制御部とが連携して実行され、前記主デバイスの動作状態を監視し、当該動作状態に応じた電力値に関する情報を、前記主表示部の電力供給状態に応じて、前記主表示部又は前記副表示部を選択して表示する表示制御手段と、
を有する電力値表示装置。
【請求項２】
前記副電源部が、太陽光発電装置と、当該太陽光発電装置で発電した電力を充電可能な蓄電部とを備える請求項１記載の電力値表示装置。
【請求項３】
前記副デバイスへの前記副電源部の電力供給制御が、前記主制御部からの遠隔操作により実行され、前記副表示部への電力値の表示を切り替え、並びに当該電力値の表示を維持する場合に電力が供給され、前記電力値の表示が終了すると電力が非供給とされる請求項１又は請求項２記載の電力値表示装置。
【請求項４】
前記副デバイスへの前記副電源部の電力供給制御が、前記主制御部からの遠隔操作により実行され、前記副表示部への電力値の表示を切り替える場合に前記副制御部に電力が供給され、前記電力値の表示の切り替えが終了すると前記副制御部への電力が非供給とされ、前記副表示部に電力を供給することで、前記副表示部での電力値の表示を維持する請求項１又は請求項２記載の電力値表示装置。
【請求項５】
前記主制御部が電力供給状態の場合は前記動作状態を当該主制御部で監視すると共に、前記主制御部が電力非供給状態の場合は前記副電源部から前記副デバイスへの通電を開始して、当該副デバイスの副制御部で前記動作状態の監視を継続する請求項１〜請求項４の何れか１項記載の電力値表示装置。
【請求項６】
前記副デバイスの充電量が予め定められた量を超えている場合は、前記動作状態に関わらず、全ての動作状態で前記副表示部に電力値を表示する特別表示モードに切り替える請求項１〜請求項５の何れか１項記載の電力値表示装置。
【請求項７】
原稿画像を読み取るための画像読取処理機能、前記画像読取処理機能によって読み取った原稿画像を記録用紙へ複写する画像複写処理機能、受信される画像情報に基づいて前記記録用紙へ画像を形成する画像形成処理機能、前記画像読取処理機能によって読み取った原稿画像の情報を送信する画像情報送信処理機能の少なくとも１つの処理機能を備えた画像処理部と、
情報の通信処理を行う通信処理部、情報を報知する主表示部を備え、情報を処理するためのユーザーインターフェイス部と、
前記画像処理部での画像処理、並びに前記ユーザーインターフェイス部で情報処理を制御する主制御部と、
前記画像処理部、前記ユーザーインターフェイス部、前記主制御部を含む主デバイスに対して個別に、主電源部からの電力を供給状態又は非供給状態として複数の動作状態に遷移させる遷移手段と、
少なくとも主デバイスの動作状態に応じた電力値を表示可能な副表示部、前記副表示部での情報の表示を制御する副制御部、前記副表示部及び前記副制御部に電力を供給する副電源部、を備えた副デバイスと、
前記主制御部と前記副制御部とが連携して実行され、前記主デバイスの動作状態を監視し、当該動作状態に応じて演算した電力値に関する情報を、前記ユーザーインターフェイス部が電力供給状態の場合は当該主表示部に表示し、前記ユーザーインターフェイス部が電力非供給状態の場合は前記副デバイスの副表示部に表示する表示制御手段と、
を有する画像処理装置。
【請求項８】
前記画像処理部が、前記主デバイスとして、画像読取部、画像形成部、通信制御回路部を備える請求項７記載の画像処理装置。
【請求項９】
前記ユーザーインターフェイス部の主表示部が、バックライト部を備えた液晶表示器であり、
前記表示制御手段が、前記バックライト部が電力供給状態か否かによって、前記ユーザーインターフェイス部の電力供給状態を判断し、前記電力値に関する情報の表示先を選択する請求項７又は請求項８記載の画像処理装置。
【発明の詳細な説明】
【技術分野】
【０００１】
本発明は、電力値表示装置、画像処理装置に関する。
【背景技術】
【０００２】
画像処理装置において、処理の実行がない場合の消費電力を、処理中の消費電力よりも軽減する省エネモード（スリープモードという場合がある）が設定されている。
【０００３】
特許文献１には、複合機において、可能な限り省エネ機能を保持しつつ、ユーザーが省エネモード中に実際に低消費電力化が行われていることを表示により認識できる操作表示装置が開示されている。より具体的には、サブ基板１０４のサブＬＣＤ１０９が、装置全体を制御するメイン基板１０１のＣＰＵ１０３により取得された消費電力情報と電力モード情報とが通知されて消費電力、電力モードを表示する。
【０００４】
なお、上記特許文献１では、スリープモードでは太陽電池で動作してサブＬＣＤが節電可能であるが、通常動作モードは電力測定部で電力測定してメイン基板のＣＰＵが測定制御を行い、サブ基板のＣＰＵと通信してサブＬＣＤに電力表示をしており、そのサブ基板ＣＰＵやサブＬＣＤの電力は複合機の電力が供給されている。
【先行技術文献】
【特許文献】
【０００５】
【特許文献１】特開２０１１−７５９８８号公報
【発明の概要】
【発明が解決しようとする課題】
【０００６】
本発明は、電力の見える化を実現すると共に、見える化のための電力消費を抑制することができる電力値表示装置、画像処理装置を得ることが目的である。
【課題を解決するための手段】
【０００７】
請求項１に記載の発明は、主デバイスに属する、処理部、主表示部、並びに前記処理部での処理の実行及び前記主表示部での情報の表示を制御する主制御部を対象として、主電源部からの電力供給状態に応じた複数の動作状態に遷移させる遷移手段と、副表示部、前記副表示部での情報の表示を制御する副制御部を備え、副電源部の電力が供給されて動作する副デバイスと、前記主制御部と前記副制御部とが連携して実行され、前記主デバイスの動作状態を監視し、当該動作状態に応じた電力値に関する情報を、前記主表示部の電力供給状態に応じて、前記主表示部又は前記副表示部を選択して表示する表示制御手段と、を有している。
【０００８】
請求項２に記載の発明は、前記請求項１に記載の発明において、前記副電源部が、太陽光発電装置と、当該太陽光発電装置で発電した電力を充電可能な蓄電部とを備える。
【０００９】
請求項３に記載の発明は、前記請求項１又は請求項２に記載の発明において、前記副デバイスへの前記副電源部の電力供給制御が、前記主制御部からの遠隔操作により実行され、前記副表示部への電力値の表示を切り替え、並びに当該電力値の表示を維持する場合に電力が供給され、前記電力値の表示が終了すると電力が非供給とされる。
【００１０】
請求項４に記載の発明は、前記請求項１又は請求項２に記載の発明において、前記副デバイスへの前記副電源部の電力供給制御が、前記主制御部からの遠隔操作により実行され、前記副表示部への電力値の表示を切り替える場合に前記副制御部に電力が供給され、前記電力値の表示の切り替えが終了すると前記副制御部への電力が非供給とされ、前記副表示部に電力を供給することで、前記副表示部での電力値の表示を維持する。
【００１１】
請求項５に記載の発明は、前記請求項１〜請求項４の何れか１項記載の発明において、前記主制御部が電力供給状態の場合は前記動作状態を当該主制御部で監視すると共に、前記主制御部が電力非供給状態の場合は前記副電源部から前記副デバイスへの通電を開始して、当該副デバイスの副制御部で前記動作状態の監視を継続する。
【００１２】
請求項６に記載の発明は、前記請求項１〜請求項５の何れか１項記載の発明において、前記副デバイスの充電量が予め定められた量を超えている場合は、前記動作状態に関わらず、全ての動作状態で前記副表示部に電力値を表示する特別表示モードに切り替える。
【００１３】
請求項７に記載の発明は、原稿画像を読み取るための画像読取処理機能、前記画像読取処理機能によって読み取った原稿画像を記録用紙へ複写する画像複写処理機能、受信される画像情報に基づいて前記記録用紙へ画像を形成する画像形成処理機能、前記画像読取処理機能によって読み取った原稿画像の情報を送信する画像情報送信処理機能の少なくとも１つの処理機能を備えた画像処理部と、情報の通信処理を行う通信処理部、情報を報知する主表示部を備え、情報を処理するためのユーザーインターフェイス部と、前記画像処理部での画像処理、並びに前記ユーザーインターフェイス部で情報処理を制御する主制御部と、前記画像処理部、前記ユーザーインターフェイス部、前記主制御部を含む主デバイスに対して個別に、主電源部からの電力を供給状態又は非供給状態として複数の動作状態に遷移させる遷移手段と、少なくとも主デバイスの動作状態に応じた電力値を表示可能な副表示部、前記副表示部での情報の表示を制御する副制御部、前記副表示部及び前記副制御部に電力を供給する副電源部、を備えた副デバイスと、前記主制御部と前記副制御部とが連携して実行され、前記主デバイスの動作状態を監視し、当該動作状態に応じて演算した電力値に関する情報を、前記ユーザーインターフェイス部が電力供給状態の場合は当該主表示部に表示し、前記ユーザーインターフェイス部が電力非供給状態の場合は前記副デバイスの副表示部に表示する表示制御手段と、を有する画像処理装置である。
【００１４】
請求項８に記載の発明は、前記請求項７に記載の発明において、前記画像処理部が、前記主デバイスとして、画像読取部、画像形成部、通信制御回路部を備える。
【００１５】
請求項９に記載の発明は、請求項７又は請求項８に記載の発明において、前記ユーザーインターフェイス部の主表示部が、バックライト部を備えた液晶表示器であり、前記表示制御手段が、前記バックライト部が電力供給状態か否かによって、前記ユーザーインターフェイス部の電力供給状態を判断し、前記電力値に関する情報の表示先を選択する。
【発明の効果】
【００１６】
請求項１記載の発明によれば、電力の見える化を実現すると共に、見える化のための電力消費を抑制することができる。
【００１７】
請求項２に記載の発明によれば、自ら発電することができる。
【００１８】
請求項３に記載の発明によれば、本構成を有しない場合に比べて、副電源部の電力消費を抑制することができる。
【００１９】
請求項４に記載の発明によれば、本構成を有しない場合に比べて、副電源部の電力消費を抑制することができる。
【００２０】
請求項５に記載の発明によれば、動作状態の監視を継続することができる。
【００２１】
請求項６に記載の発明によれば、電力表示対象を副表示部に特定することができる。
【００２２】
請求項７記載の発明によれば、電力の見える化を実現すると共に、見える化のための電力消費を抑制することができる。
【００２３】
請求項８に記載の発明によれば、複数のデバイスの組み合わせで、デバイス数以上の複数の処理機能を実行することができる。
【００２４】
請求項９に記載の発明によれば、主表示部を有効利用し、副デバイスの消費電力を軽減することができる。
【図面の簡単な説明】
【００２５】
【図１】本実施の形態に係る画像処理装置の概略図である。
【図２】本実施の形態に係る画像処理装置におけるＵＩ周辺の拡大図である。
【図３】本実施の形態に係る画像処理装置の制御系のブロック図である。
【図４】（Ａ）は本実施の形態に係る画像処理装置の状態遷移図、（Ｂ）は図４（Ａ）に対応した配置においてサブパネルとＵＩの通電状態に特化した状態遷移図である。
【図５】本実施の形態に係る画像処理装置の状態毎の消費電力値の目安を示す特性図である。
【図６】本実施の形態に係る画像処理装置において、選択的に消費電力値を表示するサブパネル又はＵＩの表示状態を示す正面図である。
【図７】メインコントローラにおける電力値表示制御ルーチンを示すフローチャートである。
【図８】サブパネルにおける電力表示制御ルーチンを示すフローチャートである。
【発明を実施するための形態】
【００２６】
図１には、本実施の形態に係る画像処理装置１０が示されている。
【００２７】
画像処理装置１０は、記録用紙に画像を形成する画像形成部１２と、原稿画像を読み取る画像読取部１４と、ファクシミリ通信制御回路１６を備えている。画像処理装置１０は、メインコントローラ１８を備えており、画像形成部１２、画像読取部１４、ファクシミリ通信制御回路１６を制御して、例えば、画像読取部１４で読み取った原稿画像の画像データを一時的に記憶したり、読み取った画像データを画像形成部１２又はファクシミリ通信制御回路１６へ送出したりする。なお、画像読取部１４は上部筐体１０Ａに覆われ、画像形成部１２，ファクシミリ通信制御回路１６、メインコントローラ１８は下部筐体１０Ｂに覆われている。下部筐体１０Ｂのさらに下部は記録用紙を収容する複数段のトレイユニット５０が設けられている。
【００２８】
また、前記画像読取部１４を被覆する上部筐体１０Ａの上面かつ前方には、画像読取処理、複写処理、画像形成処理、送受信処理を含む処理動作（サービス）項目を指示したり、それぞれの処理動作の詳細設定を指示すると共に、画像処理装置１０の状態を表示するためのユーザーインターフェイス５２（以下、「ＵＩ５２」という場合がある。）が配置されている。ＵＩ５２には、表示画面に操作者の指等を接触することで指示可能なタッチパネル部４０と、機械的動作（例えば、押圧動作）で指示可能な複数のハードキー５４（図２参照）とが設けられている。また、タッチパネル部４０に隣接するように、サブパネル８０が設けられている。本実施の形態では、このサブパネル８０は、前記ＵＩ５２に属さない、独立したユーザーインターフェイスとして機能する。
【００２９】
メインコントローラ１８にはインターネット等のネットワーク通信回線網２０が接続され、ファクシミリ通信制御回路１６には電話回線網２２が接続されている。メインコントローラ１８は、例えば、ネットワーク通信回線網２０を介してホストコンピュータと接続され、画像データを受信したり、ファクシミリ通信制御回路１６を介して電話回線網２２を用いてファクシミリ受信及びファクシミリ送信を実行する役目を有している。
【００３０】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００３１】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００３２】
画像処理装置１０には、入力電源線２４の先端にコンセント２６が取り付けられており、壁面Ｗまで配線された商用電源３１の配線プレート３２に、当該コンセント２６を差し込むことで、画像処理装置１０は、商用電源３１から、電力の供給を受けるようになっている。
【００３３】
（ＵＩ５２及びサブパネル８０）
図２に示される如く、上部筐体１０Ａに設置されたＵＩ５２は、当該上部筐体１０Ａとは別部材とされたプレート５６上に設けられている。プレート５６の中央部には、タッチパネル部４０が配置されている。また、タッチパネル部４０の図２の左右のプレート５６の表面には、複数のハードキー５４Ａ〜５４Ｅが露出されている。
【００３４】
ハードキー５４Ａ〜５４Ｅは、それぞれ押圧操作によって予め決められた指示情報を確定するものであり、例えば、タッチパネル部４０の表示画面を基本画面に遷移させるためのメニューキー５４Ａ、複写を指定するためのコピーキー５４Ｂ、複写の部数を指定したり、暗唱番号を入力するためのテンキー５４Ｃ、節電を指示したり解除するための節電キー５４Ｄ、処理の実行を指示するためのスタートキー５４Ｅを備える。
【００３５】
また、前記プレート５６の図２の右下であり、スタートキー５４Ｅの近傍には、モニタ用ＬＥＤとして、データ送信中を表示するＬＥＤ７２Ａ、エラー発生を報知するためのＬＥＤ７２Ｂ、電源投入を報知するＬＥＤ７２Ｃが設けられている。
【００３６】
一方、前記プレート５６の図２の左側には、サブパネル８０が設けられている。本実施の形態では、サブパネル８０は、上部筐体１０Ａに設けられた矩形状の凹陥部５７に収容されている。
【００３７】
サブパネル８０は、全体を覆うカバー部材の表面（図２に示すように、凹陥部５７に収容された状態では上面）には、表示部８８が設けられている。
【００３８】
なお、このサブパネル８０は、前記凹陥部５７に収容された状態で固定されてもよいし、着脱可能としてもよい（図２の想像線参照）。また、サブパネル８０が着脱可能な場合、画像処理装置１０との間で情報通信を司るバス３３Ｅ（図３参照）に相当する配線系統は、有線でもよいし、無線であってもよい。
【００３９】
なお、サブパネル８０の取付位置は限定されるものではなく、ＵＩ５２の周囲はもちろん、上部筐体１０Ａ、下部筐体１０Ｂを含み、何れに取り付けてもよいが、ユーザーから見易い位置を選択することが好ましい。また、サブパネル８０を着脱可能な構造とした場合は、仮設置場所を複数箇所設けてもよい。
【００４０】
本実施の形態において、前記ＵＩ５２とサブパネル８０とを区別する理由は、電力の供給元が異なる点にあり、この点については、後で詳述する。
【００４１】
（画像処理装置の制御系）
図３は、画像処理装置１０の制御系のハード構成の概略図である。
【００４２】
ネットワーク回線網２０は、前記画像処理装置１０のメインコントローラ１８に接続されている。なお、ネットワーク回路網２０には、画像データを送信元等になり得るＰＣ（端末装置）２９が接続されている。
【００４３】
メインコントローラ１８には、それぞれ、データバスやコントロールバス等のバス３３Ａ〜３３Ｄを介して、ファクシミリ通信制御回路１６、画像読取部１４、画像形成部１２、ＵＩ５２が接続されている。すなわち、このメインコントローラ１８が主体となって、画像処理装置１０の各処理部が制御されるようになっている。
【００４４】
また、本実施の形態のメインコントローラ１８は、バス３３Ｅを介して、サブパネル８０の制御部８４に接続されている。
【００４５】
前記画像処理装置１０は、電源装置４２を備えており、メインコントローラ１８とは信号ハーネス４３で接続されている。
【００４６】
電源装置４２は、前記商用電源３１から入力電源線２４を介して電力の供給を受けている。
【００４７】
電源装置４２では、メインコントローラ１８、ファクシミリ通信制御回路１６、画像読取部１４、画像形成部１２、ＵＩ５２のそれぞれに対して独立して電力を供給する電力供給線３５Ａ〜３５Ｄが設けられている。このため、メインコントローラ１８では、各処理部（デバイス）に対して個別に電力供給（電力供給モード）、或いは電力供給遮断（スリープモード）し、所謂部分節電制御を可能としている。
【００４８】
すなわち、画像処理装置１０の内、ファクシミリ通信制御回路１６は、常に、受信状態を監視する必要がある。一方、画像読取部１４、画像形成部１２は、処理動作（サービス）の実行指示がなければ、例えば、動作モードとして、常にスタンバイ状態としておく必要はなく、電力供給を遮断しておくことで、動作モードを継続するよりも消費電力を軽減している。部分節電による動作状態について、図４（Ａ）及び（Ｂ）を用いて後述する。
【００４９】
さらに、ＵＩ５２のタッチパネル部４０（図２参照）は、ユーザーが画像処理装置１０のＵＩ５２に対峙しているときにタッチ操作がなされるのであり、ユーザーが画像処理装置１０の前に存在しないときは、タッチパネル部４０の裏面側に配置されたバックライト（図示省略）を消灯しておくことも可能である。
【００５０】
図３に示される如く、サブパネル８０は、独自の蓄電デバイス８２が設けられおり、電力供給線３５Ｅを介して制御部８４に接続されている。この蓄電デバイス８２は、ソーラーパネル８６による太陽光発電によって、充電されるようになっている。
【００５１】
また、サブパネル８０には、制御部８４の制御によって動作する表示部８８と、表示部８８での表示状態の調整等、必要最小限の指示を行うための操作キー９０（本実施の形態では、４個の独立した操作キー９０Ａ〜９０Ｄ）が設けられている。本実施の形態では、表示部８８は、蓄電デバイス８２から電力供給線３５Ｆを介して電力を受けるようにしたが、制御部８４から受けるようにしてもよい。
【００５２】
なお、操作キー９０は必須ではない。また、表示部８８は、バックライトを持たない液晶表示装置を適用し、現状で考え得る最小消費電力としたが、蓄電デバイス８２の蓄電量、或いは、ソーラーパネル８６の発電能力によって、バックライトを持つ表示部８８や、ＬＥＤ表示部であってもよい。さらに、操作機能を備えたタッチパネル式としてもよい。
【００５３】
上記のように、サブパネル８０は、画像処理装置１０から電力供給を受けず、独立した電源（蓄電デバイス８２）から受ける電力で動作し、メインコントローラ１８からバス３３Ｅを介して受け付ける稼働情報（例えば、各デバイスへの実行情報、動作モード（状態）情報を含む）に基づいて表示部８８に情報（主として、電力値情報）を表示する情報表示装置として機能する。
【００５４】
すなわち、サブパネル８０の制御部８４には、各デバイス（画像読取部１４、ＵＩ５２、メインコントローラ１８、画像形成部１２）毎の電力係数値が予め記憶されており、バス３３Ｅを介してメインコントローラ１８から受け付ける各デバイスの稼働情報と電力係数値とに基づいて電力値を演算する。表示部８８には、当該演算結果に基づく電力値が表示されるようになっている。
【００５５】
ここで、サブパネル８０の制御部８４では、メインコントローラ１８から前記稼働情報を受信する毎に演算を実行し、表示部８８に表示する電力値を更新する。
【００５６】
すなわち、メインコントローラ１８では、サブパネル８０の表示部８８に電力値を表示する場合に、画像処理装置１０における状態（図４の状態Ａ〜状態Ｃ参照）が変化する毎に、稼働情報をサブパネル８０の制御部８４へ送信する。
【００５７】
一方、本実施の形態では、電力値の表示を、サブパネル８０の表示部８８に限定しておらず、画像処理装置１０における状態に応じて、ＵＩ５２のタッチパネル部４０（図２参照）に表示する場合がある。
【００５８】
具体的には、画像処理装置１０における状態が、スリープモード及びこれに近い状態（図４の状態Ａ〜状態Ｃ）のときはサブパネル８０の表示部８８で電力値を表示し、画像処理装置１０における状態がスタンバイモード及び動作モード状態（図４の状態Ｄ〜状態Ｇ）のときはＵＩ５２のタッチパネル部４０に電力値を表示する。
【００５９】
この電力表示の選択切替は、サブパネル８０の蓄電デバイス８８の蓄電量の確保に寄与することになる。
【００６０】
（部分節電制御による動作状態と電力表示制御）
本実施の形態の部分節電制御では、電力供給先を選択的に定めており、図４は、画像処理装置１０の動作状態の遷移に応じた、各デバイスの電力供給状態を示している。なお、以下において、「動作状態」を単に「状態」といい、それぞれの状態を状態Ａ〜状態Ｇとする。
【００６１】
図４（Ａ）と図４（Ｂ）とは、相互に状態Ａ〜状態Ｇの配置を相似形として表現している。また、図４の凡例として、白色ベースの背景は電力供給状態を示し、斜線ベースの背景は電力非供給状態を示す。さらに、図４の凡例として、白色と斜線とが混在したベースの背景が存在する。
【００６２】
この白色と斜線とが混在したベースの背景の場合、何れも一部に対して電力供給状態を示す。すなわち、ＵＩ５２においては、タッチパネル部４０のバックライトを消灯しているが、操作指示機能な有効である状態を示す。なお、タッチパネル部４０のバックライトオフ時は、操作指示機能を無効としてもよい。メインコントローラ１８においては、必要最小限の機能（ファクシミリ受信監視、ネット通信等）以外の機能を停止させている状態を示す。
【００６３】
以下の表１は、図４（Ａ）及び図４（Ｂ）におけるそれぞれの状態Ａ〜状態Ｇと、各デバイスの電力供給の有無、並びにその組み合わせによる状態での電力値表示対象の関係が示されている。
【００６４】
【表１】
2015001895.tif 000003
【００６５】
本実施の形態では、画像読取部１４、ＵＩ５２、メインコントローラ１８、並びに、画像形成部１２の大部分を含め、電力の供給を停止させて、必要最小限の電力消費となるように、機能を停止させる場合がある。この機能停止は、「スリープモード（節電モード）」という場合がある。
【００６６】
スリープモードは、例えば、画像処理が終了した時点でシステムタイマを起動させることで移行可能である。すなわち、前記システムタイマが起動してから所定時間経過することで電力供給を停止させている。なお、所定時間が経過するまでに、何らかの操作（図２に示すタッチパネル部４０のタッチ操作やハードキー５４の操作等）があれば、当然、スリープモードへのタイマカウントは中止され、次の画像処理終了時からシステムタイマが再度起動される。
【００６７】
また、スリープモードから立ち上がる場合、すべてのデバイスが一斉に電力供給されることはなく、これから実行する処理動作（サービス）の内容に基づいて、選択的に電力供給が実行される。言い換えれば、立ち上がる必要のないデバイスは電力非供給状態が継続される（部分節電機能）。
【００６８】
ところで、メインコントローラ１８は、必要最小限の電力供給を受けており、その理由は、前記スリープモード中の監視において、例えば、通信回線検出部からプリント要求などが来たり、ＦＡＸ回線検出部からＦＡＸ受信要求が来ることに対応するためである。
【００６９】
上記要求（プリント要求、ＦＡＸ受信要求）があるとジョブ実行状態となり、メインコントローラ１８の全てが電力供給状態に遷移した後、スリープモード中であったデバイスの内、ジョブの要求に必要なデバイスに対して、電力供給を行なう。
【００７０】
また、ハードキー５４の一部として設けられている節電キー５４Ｄが操作されることで、スリープモードが解除可能となっている。この場合も、まず、メインコントローラ１８の全てが電力供給状態に遷移した後、スリープモード中であったデバイスの内、処理動作（サービス）に必要なデバイスに対して、電力供給を行う。
【００７１】
なお、この節電キー５４Ｄは、デバイスに電力が供給されているときに操作されることで、当該デバイスの電力供給を強制的に遮断し、スリープモードに遷移させる機能を併せ持つ。
【００７２】
また、スリープモード解除の契機として、前記節電キー５４Ｄに限らず、人感センサ等を取り付け、画像処理装置１０に接近するユーザーを検出して、画像処理装置１０を使用することを予測し、スリープモードを解除するようにしてもよい。
【００７３】
このように、電力非供給状態であるスリープモードであっても、予め定めた電力以下（例えば、１．５ｗ以下）であり電力供給を行うか否かの判別制御に必要な電力の供給を受ける場合があり、本実施の形態では、ユーザーの省エネに対する関心を強めるため、電力供給状態、電力非供給状態における消費電力を報知する機能を有している。消費電力を報知するデバイスとしては、ＵＩ５２のタッチパネル部４０及びサブパネル８０を併用している。
【００７４】
図４に示す各状態Ａ〜状態Ｇでの消費電力の目安は、図５に示される如く、ある程度の範囲で推移するようになっている。すなわち、画像読取装置１４の待機状態ではＡｗ、動作状態ではＢｗ、画像形成部１２の待機状態ではＣｗ、動作状態でＤｗ等のように設定されているため、メインコントローラ１８から稼働情報を受け付けることで、実測しなくても現在の消費電力が正確に予測可能となる。なお、デバイス（例えば、画像形成部１２）の仕様変更により、大幅に消費電力が変更される場合があり、図５に示す電力値に限定されるものではなく、あくまでも一例として示した。
【００７５】
以下、本実施の形態の作用を説明する。
【００７６】
図７は、メインコントローラ１８における電力値表示制御ルーチンを示すフローチャートである。
【００７７】
ステップ１００では、動作状態の遷移があったか否かが判断され、否定判定された場合は、このルーチンは終了する。
【００７８】
また、ステップ１００で肯定判定されると、ステップ１０２へ移行して、動作状態の確認処理が実行され、当該動作状態が確認されると、ステップ１０４へ移行して確認した動作状態でのモード、すなわち、待機中なのか、実行中なのか等が判別され、ステップ１０６へ移行する。例えば、画像形成部１２では、待機中の電力値は１００ｗ〜１１０ｗ程度であり、処理中は、１２００ｗ〜１３００ｗであり格差があるので、動作状態と各モードを判別する必要がある。
【００７９】
ステップ１０６では、動作状態と当該動作状態でのモードとから稼働情報を生成し、ステップ１０８へ移行する。
【００８０】
ステップ１０８では、遷移した動作状態が、図４に示すＡ、Ｂ、Ｃの何れかであるのか、或いは、図４に示すＤ、Ｅ、Ｆ、Ｇの何れかであるのかを判別する。
【００８１】
このステップ１０８で、遷移した動作状態が、図４に示すＡ、Ｂ、Ｃの何れかであると判別された場合は、ステップ１０９へ移行して、メインコントローラ１８からの遠隔操作でサブパネル８０をオンしてステップ１１０へ移行する。ステップ１１０では、前回の動作状態が図４に示すＤ、Ｅ、Ｆ、Ｇの何れかであるのかを判別する。
【００８２】
このステップ１１０で肯定判定されると、現在ＵＩ５２のタッチパネル部４０に電力値が表示されているため、ステップ１１２へ移行して、この電力値表示を終了し、ステップ１１４へ移行する。また、ステップ１１０で否定判定されると、ステップ１１４へ移行する。
【００８３】
ステップ１１４では、稼働情報をサブパネル８０の制御部８４へ送出し、このルーチンは終了する。
【００８４】
一方、前記ステップ１０８で、遷移した動作状態が、図４に示すＤ、Ｅ、Ｆ、Ｇの何れの何れかであると判別された場合は、ステップ１１６へ移行して、前回の動作状態が図４に示すＡ、Ｂ、Ｃの何れかを判別する。
【００８５】
このステップ１１６で肯定判定されると、現在サブパネル８０の表示部８８に電力値が表示されているため、ステップ１１８へ移行して、サブパネル８０の制御部８４に対して、電力値表示の終了指示を送出し、次いでステップ１１９へ移行して、メインコントローラ１８からの遠隔操作で、サブパネル８０をオフして、ステップ１２０へ移行する。また、ステップ１１６で否定判定されると、ステップ１２０へ移行する。
【００８６】
ステップ１２０では、稼働情報に基づいて、電力値を演算し、次いで、ステップ１２２へ移行して、ＵＩ５２のタッチパネル部４０に電力値を表示して、このルーチンは終了する。
【００８７】
なお、ステップ１０９は、ＵＩ５２のオフ、又はタッチパネル部４０のバックライトオフのときに、サブパネル８０をオンする処理としてもよい。
【００８８】
図８は、サブパネル８０における電力表示制御ルーチンを示すフローチャートである。
【００８９】
ステップ１５０では、メインコントローラ１８から稼働情報を受け付けたか否かが判断され、否定判定されると、ステップ１５２へ移行して表示終了指示を受けたか否かが判断される。このステップ１５２で否定判定されると、このルーチンは終了する。
【００９０】
前記ステップ１５０で肯定判定されると、ステップ１５４へ移行して、受け付けた稼働情報に基づいて、電力値を演算し、次いで、ステップ１５６へ移行して、表示部８８に電力値を表示して、このルーチンは終了する。このステップ１５６でサブパネル８０の表示部８８に電力値を表示している期間は、表示部８８において独立して表示状態を維持する程度の電力を供給すると共に、サブパネル８０の制御部８４への電力供給をオフとしてもよい。表示部８８において独立して表示状態を維持する手段としては、例えば、表示部８８に表示情報を保持するメモリを具備したＩＣを搭載すればよい。
【００９１】
一方、前記ステップ１５２で肯定判定されると、ステップ１５８へ移行して、サブパネル８０の表示部８８での電力値表示を終了し、このルーチンは終了する。これにより、表示部８８での電力消費も抑制される。
【００９２】
なお、表示部８８には、表示内容の切り替え時以外は電力を必要とせず、表示状態を維持することが可能な電子ペーパーを適用してもよい。
【００９３】
図４（Ａ）及び（Ｂ）〜図６に従い、本実施の形態における、より具体的な、画像処理装置１０の状態遷移と電力値表示について説明する。
【００９４】
なお、図４（Ｂ）は、図４（Ａ）に対応した画像処理装置１０の状態遷移を配置しており、サブパネル８０とＵＩ５２の通電状態に特化した記載としたものである。
【００９５】
図４（Ａ）及び（Ｂ）に示される如く、一連の処理動作（サービス）が終了し、予め定めた時間が経過すると、画像処理装置１０は、スリープモードに遷移する（状態Ａ）。
【００９６】
この状態Ａでは、画像読取部１４、ＵＩ５２、メインコントローラ１８、画像形成部１２の全てが原則として、電力非供給状態となる。但し、外部（ネットワーク通信回線網２０、電話回線網２２）からジョブを実行する契機となる情報を受け付ける場合があるため、メインコントローラ１８の一部では、当該外部からの受付に備えて電力が供給されるため、１．５ｗ程度の電力が消費される。なお、「程度」とは予め定めた誤差の範囲で変動を許容することを意味するものであり、以下の電力値表示においても同じ解釈とする。許容誤差は、割合（例えば、１．５±Ｘ％）でもよいし、数値（例えば、１．５±Ｙｗ）でもよい。
【００９７】
状態Ａのとき、外部からジョブ実行の指示があると、状態Ｂ又は状態Ｃに遷移する。
【００９８】
状態Ｂとなるジョブの種類は、蓄積プリント、ダイレクトＦＡＸ送信、ＦＡＸ親展受信、時刻指定ＦＡＸ送信、親展ボックス取出を含む。この状態Ｂでは、画像読取部１４が電力非供給状態、ＵＩ５２がタッチパネル部４０のバックライトを消灯した状態、メインコントローラ１８が全ての機能が動作可能な電力供給状態、画像形成部１２が電力非供給状態となり、１０ｗ程度の電力が消費される。
【００９９】
一方、状態Ｃとなるジョブの種類は、プリント、ＦＡＸ受信プリント、時刻指定プリントを含む。この状態Ｃでは、画像読取部１４が電力非供給状態、ＵＩ５２がタッチパネル部４０のバックライトを消灯した状態、メインコントローラ１８が全ての機能が動作可能な電力供給状態、画像形成部１２が電力供給状態となり、８０ｗ〜１２００ｗ程度の電力が消費される。
【０１００】
次に、状態Ａのとき、節電キー５４Ｄの操作があると、処理動作（サービス）を受け付けるべく、状態Ｄに遷移する。
【０１０１】
状態Ｄでは、画像読取部１４が電力非供給状態、ＵＩ５２が全ての機能が動作可能な電力供給状態、メインコントローラ１８が全ての機能が動作可能な電力供給状態、画像形成部１２が電力非供給状態となり、３０ｗ程度の電力が消費される。
【０１０２】
状態Ｄにおいて、ユーザーが、ＵＩ５２を操作して指示を入力すると、複写処理、画像読取処理、画像形成処理の何れかのサービスが選択され、実行される。
【０１０３】
ユーザーが複写処理を選択すると、画像処理装置１０は、状態Ｄから状態Ｅに遷移する。
【０１０４】
状態Ｅでは、全てのデバイスが電力供給状態、すなわち、画像読取部１４が電力供給状態、ＵＩ５２が全ての機能が動作可能な電力供給状態、メインコントローラ１８が全ての機能が動作可能な電力供給状態、画像形成部１２が電力供給状態となり、１１０ｗ〜１３００ｗ程度の電力が消費される。
【０１０５】
ユーザーが画像読取処理を選択すると、画像処理装置１０は、状態Ｄから状態Ｆに遷移する。
【０１０６】
状態Ｆでは、画像読取部１４が電力供給状態、ＵＩ５２が全ての機能が動作可能な電力供給状態、メインコントローラ１８が全ての機能が動作可能な電力供給状態、画像形成部１２が電力非供給状態となり、５０ｗ〜１００ｗ程度の電力が消費される。
【０１０７】
ユーザーが画像形成処理を選択すると、画像処理装置１０は、状態Ｄから状態Ｇに遷移する。
【０１０８】
状態Ｇでは、画像読取部１４が電力非供給状態、ＵＩ５２が全ての機能が動作可能な電力供給状態、メインコントローラ１８が全ての機能が動作可能な電力供給状態、画像形成部１２が電力供給状態となり、１００ｗ〜１２２０ｗ程度の電力が消費される。
【０１０９】
このように、本実施の形態の画像処理装置１０では、部分節電制御により、不必要な電力消費が抑制される。
【０１１０】
その一方、画像処理装置１０は、各デバイスの電力供給状態、電力非供給状態の組み合わせで、さまざまな状態に遷移し、それぞれの状態で消費電力が異なるため、ユーザーは、現在の消費電力を瞬時に把握することができない場合がある。特に、スリープモードにおいて、どの程度の電力が消費されているかを認識する場合、当該電力の監視やＵＩ５２のタッチパネル部４０に電力値を表示すること自体に、電力が消費される場合がある。
【０１１１】
そこで、本実施の形態では、ＵＩ５２のタッチパネル部４０、並びに、独立した蓄電機能を備えたサブパネル８０を併用し、画像処理装置１０における各状態（図４に示す状態Ａ〜状態Ｇ）での電力値を報知（表示）するようにした。
【０１１２】
メインコントローラ１８では、スリープモード中でも、一部に電力が供給されており、当該電力が供給されている制御系において、画像処理装置１０の状態を認識し、稼働情報として、バス３３Ｅを介してサブパネル８０の制御部８４へ必要に応じて送信する。
【０１１３】
ここで、前述した「必要に応じて送信」とは、本実施の形態においては、電力値を表示する対象を、サブパネル８０の表示部８８と、ＵＩ５２のタッチパネル部４０の何れかとし、画像処理装置１０の状態（状態Ａ〜状態Ｇ）に応じて、選択的に定めているため、サブパネル８０への稼働情報の送出は、状態に応じて実行の可否が決定する、という意味である。
【０１１４】
なお、メインコントローラ１８から稼働情報を送信すること自体は、消費される電力に影響がないため、メインコントローラ１８からは、全ての状態で稼働情報を送出し、サブパネル８０の制御部８４側で、取捨選択するようにしてもよい。
【０１１５】
画像処理装置１０の状態が状態Ａ、状態Ｂ、状態Ｃの何れかの場合、その電力値は、サブパネル８０の表示部８８で表示する。従って、メインコントローラ１８からサブパネル８０の制御部８４へバス３３Ｅを介して、稼働情報が送出される。
【０１１６】
サブパネル８０の制御部８４では、受け付けた稼働情報に基づいて、予め記憶されている電力係数に基づいて電力値を演算する。より具体的には、稼働情報には、前記状態（状態Ａ〜状態Ｇ）に加え、各デバイスの実行情報（待機中／処理中）が含まれており、状態に応じた目安（図５参照）から実行情報に基づいて電力値を決定し、図６（Ａ）〜図６（Ｃ）に示すように表示部８８に表示する。
【０１１７】
すなわち、図６（Ａ）は画像処理装置１０が状態Ａの場合であり、サブパネル８０の表示部８８に電力表示値（ここでは、「１．５ｗ」）が表示され、ＵＩ５２のタッチパネル部４０は電力非供給状態である（図４（Ｂ）の状態Ａ参照）。
【０１１８】
図６（Ｂ）は画像処理装置１０が状態Ｂの場合であり、サブパネル８０の表示部８８に電力表示値（ここでは、「１０ｗ」）が表示され、ＵＩ５２のタッチパネル部４０は電力非供給状態、或いは、バックライトオフ状態である（図４（Ｂ）の状態Ｂ参照）。
【０１１９】
図６（Ｃ）は画像処理装置１０が状態Ｃの場合であり、サブパネル８０の表示部８８に電力表示値（ここでは、「１２００ｗ」）が表示され、ＵＩ５２のタッチパネル部４０は電力非供給状態、或いは、バックライトオフ状態である（図４（Ｂ）の状態Ｃ参照）。
【０１２０】
一方、画像処理装置１０の状態が状態Ｄ、状態Ｅ、状態Ｆ、状態Ｇの何れかの場合、その電力値は、ＵＩ５２のタッチパネル部４０で表示する。従って、メインコントローラ１８からサブパネル８０へ稼働情報は送出されない。
【０１２１】
メインコントローラ１８では、稼働情報に基づいて、予め記憶されている電力係数に基づいて電力値を演算する。より具体的には、稼働情報には、前記状態（状態Ａ〜状態Ｇ）に加え、各デバイスの実行情報（待機中／処理中）が含まれており、状態に応じた目安（図５参照）から実行情報に基づいて電力値を決定し、図６（Ｄ）〜図６（Ｇ）に示すようにタッチパネル部４０に表示する。この場合、サブパネル８０の表示部８８は非表示状態となり、制御部８４も演算処理等の動作を行わないため、状態Ｄ〜状態Ｇのときもサブパネル８０の表示部８８に電力値を表示するよりも、蓄電部デバイス８２の消費電力が軽減される。
【０１２２】
図６（Ｄ）は画像処理装置１０が状態Ｄの場合であり、ＵＩ５２のタッチパネル部４０に電力表示値（ここでは、「３０ｗ」）が表示され、サブパネル８０の表示部８８には何も表示されない（図４（Ｂ）の状態Ｄ参照）。
【０１２３】
図６（Ｅ）は画像処理装置１０が状態Ｅの場合であり、ＵＩ５２のタッチパネル部４０に電力表示値（ここでは、「１３００ｗ」）が表示され、サブパネル８０の表示部８８には何も表示されない（図４（Ｂ）の状態Ｅ参照）。
【０１２４】
図６（Ｆ）は画像処理装置１０が状態Ｆの場合であり、ＵＩ５２のタッチパネル部４０に電力表示値（ここでは、「１００ｗ」）が表示され、サブパネル８０の表示部８８には何も表示されない（図４（Ｂ）の状態Ｆ参照）。
【０１２５】
図６（Ｇ）は画像処理装置１０が状態Ｇの場合であり、ＵＩ５２のタッチパネル部４０に電力表示値（ここでは、「１２２０ｗ」）が表示され、サブパネル８０の表示部８８には何も表示されない（図４（Ｂ）の状態Ｇ参照）。
【０１２６】
以上のように、画像処理装置１０が状態に応じて変化する電力値を、ユーザーの視覚を通じて報知することで、省エネへの意識を喚起すると共に、サブパネル８０に独立した蓄電機能（蓄電デバイス８２、ソーラーパネル８６）を持たせることで、主としてスリープモード中の電力値表示の際、当該電力値表示のための電力を商用電源３１からまかなう必要がない。また、画像処理装置１０の状態において、ＵＩ５２に電力が供給されているときは、当該ＵＩ５２のタッチパネル部４０に電力値を表示するようにしたため、蓄電デバイス８２の蓄電量を無駄に消費させることがない。
【０１２７】
（変形例１）
本実施の形態では、図４（Ａ）及び（Ｂ）に示す状態Ａ（スリープモード）において、外部からのジョブ通信に備えるため、メインコントローラ１８の一部に電力を供給するとき、画像処理装置１０の状態を認識し、稼働情報として、バス３３Ｅを介してサブパネル８０の制御部８４へ送信するようにしたが、前記状態Ａ（スリープモード）では、サブパネル８０の制御部８４を起動して、バス３３Ｅを介して、稼働状態の監視を行って稼働情報を生成し、かつ電力係数に基づく演算を行うようにしてもよい。言い換えれば、スリープモード中は、メインコントローラ１８は、電力値に関する動作を実行しないため、その分、消費電力が抑制される。
【０１２８】
（変形例２）
本実施の形態では、図４（Ａ）及び（Ｂ）に示す状態Ａ〜状態Ｃの場合に限り、電力値をサブパネル８０の表示部８８へ表示し、ＵＩ５２に電力が供給されている状態Ｄ〜状態Ｇ場合は、電力値をタッチパネル部４０に表示するようにしたが、蓄電デバイス８２の蓄電状況に応じて、表示対象を変更するようにしてもよい。
【０１２９】
すなわち、サブパネル８０の蓄電デバイス８２の蓄電量（充電量）が７０％以上になった場合は、全ての状態（状態Ａ〜状態Ｇ）で、電力値を表示部８８に表示する（以下、「特別表示モード」という）。単一の表示部８８に表示した方がユーザーが見易くなる。
【０１３０】
一方、サブパネル８０の蓄電デバイス８２の蓄電量（充電量）が４０％以下になった場合は、図４（Ａ）及び（Ｂ）に示す状態Ａ〜状態Ｃの場合に限り、電力値をサブパネル８０の表示部８８へ表示する（以下、「通常表示モード」という）。
【０１３１】
なお、一旦充電量７０％以上となった場合は、充電量が４０％以下になるまでは、特別表示モードを継続し、一旦充電量が４０％以下となった場合は、充電量が７０％以上になるまでの通常表示モードを継続する（ヒステリシスの設定）。このヒステリシスの設定により、頻繁なモード切替が抑制される。
【符号の説明】
【０１３２】
１０    画像処理装置
１０Ａ    上部筐体
１０Ｂ    下部筐体
１２    画像形成部
１４    画像読取部
１６    ファクシミリ通信制御回路
１８    メインコントローラ
２０    ネットワーク通信回線網
２２    電話回線網
２４    入力電源線
２６    コンセント
２９    ＰＣ
３１    商用電源
３２    配線プレート
３３Ａ〜３３Ｅ    バス
３５Ａ〜３５Ｆ    電力供給線
４０    タッチパネル部
４２    電源装置
４３    ハーネス
５２    ユーザーインターフェイス（ＵＩ)
５６    プレート
５４    ハードキー
５４Ａ    メニューキー
５４Ｂ    コピーキー
５４Ｃ    テンキー
５４Ｄ    節電キー
５４Ｅ    スタートキー
８０    サブパネル
８２    蓄電デバイス
８４    制御部
８６    ソーラーパネル
８８    表示部
９０（９０Ａ〜９０Ｄ）    操作キー
【図１】
2015001895.tif 000004
【図２】
2015001895.tif 000005
【図３】
2015001895.tif 000006
【図７】
2015001895.tif 000007
【図８】
2015001895.tif 000008
【図４】
2015001895.tif 000009
【図５】
2015001895.tif 000010
【図６】
2015001895.tif 000011